(57)【特許請求の範囲】
【請求項１】
容器本体と蓋体とからなり、前記容器本体の側壁全周に亘って、容器底面に対して水平方向に少なくとも１条の分離用切れ目が刻設された容器であって、
前記分離用切れ目は直線状で互いに平行な２本の切れ目からなり、当該２本の切れ目の間に把持部が配置されており、
容器本体を上下に仕切るための仕切板を具備するとともに、当該仕切板の上に縦もしくは横の１方向又は縦及び横の２方向に仕切壁が一体的に設けられていることを特徴とする容器。
【請求項２】
仕切壁が碁盤目状である請求項１記載の容器。
【発明の詳細な説明】
【０００１】
【発明の属する技術分野】
本発明は容器に関し、更に詳しくは、容器内に段積みした内容物を容易に取り出すことができるとともに、内容物の段毎の取り出しに応じて容器の嵩を小さくでき、従って、取り扱い性が容易で、保管や輸送効率の高い容器に関する。
【０００２】
【従来の技術】
従来の容器は、例えば内容物を複数段に積み上げて収容する場合は、該複数段の高さに略等しい高さの容器が用いられている。
しかし乍ら、このような容器にあっては、最上段或いは上から２番目の段の内容物は容器の開口部に近いため、容易に取り出すことができるが、下の段になるにつれ、開口部から遠去かるため、内容物の取り出しが益々困難である。
【０００３】
そのため、しばしば容器を上下逆さまにして内容物を重力により取り出すことになるが、例えばケーキ等の如く、内容物によっては逆さまにすると内容物の形状が崩れ、全く商品価値を失う場合もある。また、内容物が箱に収められて段積み収容されているような場合は、隙間なく収容されているのが普通であり、このような場合には、容器を逆にして箱を取り出そうとしても負圧により容易に取り出すことができない。
【０００４】
また、従来の容器では、例えば内容物が底面から１段目や２段目になっても容器に収容したままで保管すると、大きな容積を占有し、取り扱い性や保管効率が悪い。
【０００５】
これを解消せんとして、容器から底部の１段目や２段目の内容物を取り出して、保管することが考えられるが、内容物が箱に収容されている場合はともかく、容器内が仕切板で数段に仕切られ、各段に小さいボトルや小ケースが多数並べられて収容されているような場合には、ボトルや小ケースを１個１個取り出さねばならず、また取り出したボトルや小ケースを整然と保管することは容易ではない。
【０００６】
本発明は、上記従来容器の問題点を解消し、容器内に段積みした内容物を容易に取り出すことができるとともに、内容物の段毎の取り出しに応じて容器の嵩を小さくでき、その結果、取り扱い性が良好で、保管スペースをとらず保管効率の高い容器を提供するものである。
【０００７】
【課題を解決するための手段】
即ち、本発明は容器本体と蓋体とからなり、前記容器本体の側壁全周に亘って、容器底面に対して水平方向に少なくとも１条の分離用切れ目が刻設された容器であって、前記分離用切れ目は直線状で互いに平行な２本の切れ目からなり、当該２本の切れ目の間に把持部が配置されており、容器本体を上下に仕切るための仕切板を具備するとともに、当該仕切板の上に縦もしくは横の１方向又は縦及び横の２方向に仕切壁が一体的に設けられていることを特徴とする容器を内容とする。
【０００８】
好ましい態様としての請求項２は、仕切壁が碁盤目状である請求項１記載の容器である。
【０００９】
【発明の実施の形態】
以下、本発明を実施例を示す図面に基づいて説明するが、本発明はかかる実施例のみに限定されないことは勿論である。
【００１０】
図１は本発明における容器本体と蓋を示す斜視図で、容器本体１の側壁には、全周に亘って、容器底面に対して略水平方向に、分離用切れ目３が刻設されている。上記分離用切れ目３は直線状で互いに平行な２本の切れ目からなり、当該２本の切れ目の間に把持部３ａが配置されている。
【００１１】
容器本体１及び蓋体２の形状は特に制限されず、矩形、円形、楕円形等のいずれでもよい。また、素材も特に限定されず、分離用切れ目３が刻設できるものであれば全て使用できるが、紙、プラスチック等が好適である。
【００１２】
更に、分離用切れ目３は少なくとも１条設けられ、上限は特に限定されず、容器本体の大きさ（特に高さ）、収容される内容物のサイズ（特に高さ）により適宜決定すればよい。分離用切れ目３は、段積み収容される内容物の高さと概ね等しい位置に刻設される。
【００１３】
図２は、図１の容器本体１内に、複数個の内容物４を２段に段積み収容した断面図であり、上下段を仕切るための仕切板５を具備している。この仕切板５の上には、図３（Ａ）、（Ｂ）に示すように、仕切壁５ａ、５ｂが碁盤目状に直交するように立設一体化されている。
勿論、仕切壁の構造は、収納される内容物の形状や大きさに応じて決められ、従って、碁盤目状のものに限定されず、例えば仕切壁５ａ又は５ｂを縦方向又は横方向に複数列設したものでもよい。この場合は、仕切壁５ａ又は５ｂは仕切板５上に倒すことにより嵩を小さくすることができ、取り扱い性や、保管や輸送が容易である。
本発明では、上記の如く、仕切板５と碁盤目状の仕切壁５ａ、５ｂとが一体化されているので、両側の仕切壁５ａ又は５ｂを両手で把持することにより、上段の内容物４を一挙に取り出すことができる。
【００１４】
図４は、図１の分離用切れ目３の把持部３ａを指で把んで引き起こし矢印方向に剥ぎ取って、容器本体１の上段部分を取り去り容器本体１の高さを約１／２として下段の内容物４のみを収容した状態を示す。
このように、本発明の容器本体は内容物４を段毎に取り出すにつれて、分離用切れ目３を剥ぎ取ることにより、容器本体１の該切れ目３より上方部分を取り去り、容器本体１の高さを残りの段積み収容された内容物４の略同じ高さに順次低くできるので、常に最上段の内容物４は容器本体１の開口部付近に存在することになり、内容物４を容易に取り出すことができ、また残りの内容物４を収容した容器の保管スペースも順次小さくなるので、取り扱い性や保管効率が良好である。
【００１５】
以上、容器本体に分離用切れ目を１条刻設した例を示したが、本願発明は該切れ目が多くなればなる程（即ち、内容物の積み上げ段数が多くなり容器本体が嵩高くなればなる程）、顕著な作用効果を奏するものである。
【００１６】
【発明の効果】
叙上のとおり、本発明によれば、分離用切れ目を剥ぎ取り、容器本体を取り除くことにより、容器本体内に段積みした最上段の内容物は常に容器本体の開口部付近に存在することになり、その結果、容器本体から内容物を容易に取り出すことができる。
また、仕切板と碁盤目状の仕切壁とが一体化されているので、両側の仕切壁を両手で把持することにより、上段の内容物を一挙に取り出すことができる。
また、内容物を取り出す毎に、容器本体の嵩は小さくなるので、内容物が残り少なくなって容器本体の底の方に存在するだけの殆ど空の容器を保管するということはなく、従って、取り扱い性が向上するとともに、保管や輸送スペースが小さくてすむので、保管や輸送効率が向上する。
【図面の簡単な説明】
【図１】  本発明における容器本体及び蓋を示す斜視図である。
【図２】  図１の容器に内容物を２段に段積み収容した断面図である。
【図３】  仕切板の上に碁盤目状の仕切壁を一体的に立設した状態を示し、（Ａ）は斜視図、（Ｂ）はＸ−Ｘ断面図である。
【図４】  分離用切れ目より上段部分取り去り、下段部分とした状態を示す断面図である。
【符号の説明】
１  容器本体                              ２  蓋体
３  分離用切れ目                          ３ａ  把持部
４  内容物（小箱）                        ５  仕切板
５ａ、５ｂ  仕切壁
【図１】
0004554753.tif 000002
【図２】
0004554753.tif 000003
【図３】
0004554753.tif 000004
【図４】
0004554753.tif 000005